(57)【要約】【課題】暖房パネルの設定温度を検知することなく効率的な加熱手段の制御を行う温水暖房装置を提供する。【解決手段】加熱手段１１、暖房パネル１２及び第１の温度センサ１３を接続し、温水が循環する温水循環回路１４と、加熱手段１１に運転停止信号及び運転開始信号を出力する制御手段１５とを有する温水暖房装置１０において、加熱手段１１は、制御手段１５から運転停止信号の出力があった際、運転を停止すると共に第２の温度センサ２５を介して温水の温度Ｔを検知して記憶し、制御手段１５から運転開始信号の出力があった際、最後に運転停止信号が出力されてから運転開始信号が出力されるまでの時間が、予め設定された時間Ｐの場合又は時間Ｐを超えている場合、予め設定された温度Ｑを温水の加熱目標温度として運転を開始し、時間Ｐ未満の場合、温度Ｔに予め設定された温度αを加算した温度を温水の加熱目標温度として運転を開始する。【選択図】図１
2012047374.tif 000002
【特許請求の範囲】
【請求項１】
加熱手段、暖房パネル及び第１の温度センサを接続し、温水が循環する温水循環回路と、前記第１の温度センサを介して計測する前記暖房パネルを通過した前記温水の温度Ｘが、予め設定された上限温度を上回ったのを検知したとき、前記加熱手段に運転停止信号を出力し、前記温度Ｘが予め設定された下限温度を下回ったのを検知したとき、該加熱手段に運転開始信号を出力する制御手段とを有する温水暖房装置において、
前記加熱手段には、該加熱手段で加熱前の前記温水の温度を計測する第２の温度センサが設けられ、
前記加熱手段は、前記制御手段から前記運転停止信号の出力があった際、運転を停止すると共に前記第２の温度センサを介して前記温水の温度Ｔを検知して記憶し、
しかも、前記加熱手段は、前記制御手段から前記運転開始信号の出力があった際、前記制御手段から最後に前記運転停止信号が出力されてから前記運転開始信号が出力されるまでの時間が予め設定された時間Ｐ又は該時間Ｐを超えている場合、前記温度Ｔには依存しない予め設定された温度Ｑを前記温水の加熱目標温度として運転を開始し、前記制御手段から最後に前記運転停止信号が出力されてから前記運転開始信号が出力されるまでの時間が前記時間Ｐ未満の場合、前記温度Ｑを前記温水の加熱目標温度にはせずに、前記温度Ｔに予め設定された温度αを加算した温度を、前記温水の加熱目標温度として運転を開始することを特徴とする温水暖房装置。
【請求項２】
請求項１記載の温水暖房装置において、前記加熱手段は、前記制御手段から最後に前記運転開始信号が出力されてから前記運転停止信号が出力されるまでの時間が予め設定された時間Ｐ２を超えているとき、最後に前記運転開始信号が出力されてから前記時間Ｐ２経過した際に、予め設定された温度βを前記温水の加熱目標温度に加算して新たな加熱目標温度とし、前記制御手段から前記運転停止信号の出力があるまでは、予め設定した時間Ｐ３が経過するごとに最新の加熱目標温度に前記温度βを加算して新たな加熱目標温度にすることを特徴とする温水暖房装置。
【請求項３】
請求項１又は２記載の温水暖房装置において、前記制御手段から前記加熱手段に出力される前記運転開始信号及び前記運転停止信号は、接点信号であることを特徴とする温水暖房装置。
【請求項４】
請求項１〜３のいずれか１項に記載の温水暖房装置において、前記加熱手段は圧縮機の運転周波数を調整可能なヒートポンプユニットであることを特徴とする温水暖房装置。
【発明の詳細な説明】
【技術分野】
【０００１】
本発明は、加熱手段により加熱した温水を循環回路を介して暖房パネルに供給し、床や室内を暖房する温水暖房装置に関する。
【背景技術】
【０００２】
従来、床や室内の暖房を行うために、ヒートポンプユニット等の加熱手段によって加熱した温水を、床下や室内に設置された暖房パネル（放熱器の一例）に循環回路を介して供給する温水暖房装置が用いられている。温水暖房装置では、暖房パネルに供給される温水の温度が、所定の上限温度を大きく上回ったり、所定の下限温度を大きく下回ったりしないようにするためや、効率的な温水の加熱を行うための加熱手段の制御が求められ、その具体例が例えば特許文献１、２、３に記載されている。
【０００３】
特許文献１では、加熱手段の運転を開始する際に加熱手段の圧縮機を低周波数で運転して、温水の温度上昇を緩やかにし、温水の温度が所定の上限温度を大きく上回るのを回避するための制御を行っている。
特許文献２では、加熱手段の運転停止信号が出力された際、加熱手段を直ぐには停止せず、加熱手段の運転を継続して温水の温度を所定温度上昇させた後に加熱手段を停止し、暖房パネルの急激な温度低下を防ぐための制御がなされている。
特許文献３では、建物の熱損失や床面積等を考慮して暖房パネル（温水暖房端末器）に送る温水の目標温度を算出し、この目標温度を基に加熱手段の制御を行うことで熱ロスの低減を図っている。
【先行技術文献】
【特許文献】
【０００４】
【特許文献１】特開２０００−４６４１７号公報
【特許文献２】特開２００６−４６７００号公報
【特許文献３】特開２００９−２７５９４１号公報
【発明の概要】
【発明が解決しようとする課題】
【０００５】
ところで、市場においては、加熱手段が、温水循環回路を循環する温水の温度について暖房パネル側の制御手段で設定された値を検知できない仕様の温水暖房装置と、検知できる仕様の温水暖房装置が存在している。
加熱手段が暖房パネル側の制御手段の設定値を検知できない仕様の温水暖房装置では、加熱手段が制御手段から出力される加熱手段の運転開始信号及び運転停止信号を入力に加熱手段の運転制御を行うことになり、暖房パネル側の制御手段の設定値を入力にして運転制御を行う場合とは制御方法が異なる。
これに対し、特許文献１〜３は、加熱手段が暖房パネル側の制御手段の設定値を検知できない仕様に限ったものではなかった。そのため、加熱手段が暖房パネル側の制御手段の設定値を検知できない仕様の温水暖房装置に対する加熱手段の効率的な制御が課題となっていた。
本発明は、かかる事情に鑑みてなされるもので、暖房パネルに供給される温水の設定温度を検知することなく効率的な加熱手段の制御を行う温水暖房装置を提供することを目的とする。
【課題を解決するための手段】
【０００６】
前記目的に沿う本発明に係る温水暖房装置は、加熱手段、暖房パネル及び第１の温度センサを接続し、温水が循環する温水循環回路と、前記第１の温度センサを介して計測する前記暖房パネルを通過した前記温水の温度Ｘが、予め設定された上限温度を上回ったのを検知したとき、前記加熱手段に運転停止信号を出力し、前記温度Ｘが予め設定された下限温度を下回ったのを検知したとき、該加熱手段に運転開始信号を出力する制御手段とを有する温水暖房装置において、前記加熱手段には、該加熱手段で加熱前の前記温水の温度を計測する第２の温度センサが設けられ、前記加熱手段は、前記制御手段から前記運転停止信号の出力があった際、運転を停止すると共に前記第２の温度センサを介して前記温水の温度Ｔを検知して記憶し、しかも、前記加熱手段は、前記制御手段から前記運転開始信号の出力があった際、前記制御手段から最後に前記運転停止信号が出力されてから前記運転開始信号が出力されるまでの時間が予め設定された時間Ｐの場合又は該時間Ｐを超えている場合、前記温度Ｔには依存しない予め設定された温度Ｑを前記温水の加熱目標温度として運転を開始し、前記制御手段から最後に前記運転停止信号が出力されてから前記運転開始信号が出力されるまでの時間が前記時間Ｐ未満の場合、前記温度Ｑを前記温水の加熱目標温度にはせずに、前記温度Ｔに予め設定された温度αを加算した温度を、前記温水の加熱目標温度として運転を開始する。
【０００７】
本発明に係る温水暖房装置において、前記加熱手段は、前記制御手段から最後に前記運転開始信号が出力されてから前記運転停止信号が出力されるまでの時間が予め設定された時間Ｐ２を超えているとき、最後に前記運転開始信号が出力されてから前記時間Ｐ２経過した際に、予め設定された温度βを前記温水の加熱目標温度に加算して新たな加熱目標温度とし、前記制御手段から前記運転停止信号の出力があるまでは、予め設定した時間Ｐ３が経過するごとに最新の加熱目標温度に前記温度βを加算して新たな加熱目標温度にするのが好ましい。
【０００８】
本発明に係る温水暖房装置において、前記制御手段から前記加熱手段に出力される前記運転開始信号及び前記運転停止信号は、接点信号であるのが好ましい。
【０００９】
本発明に係る温水暖房装置において、前記加熱手段は圧縮機の運転周波数を調整可能なヒートポンプユニットであるのが好ましい。
【発明の効果】
【００１０】
本発明に係る温水暖房装置は、加熱手段が、制御手段から運転開始信号の出力があった際、制御手段から最後に運転停止信号が出力されてから運転開始信号が出力されるまでの時間が予め設定された時間Ｐ以上の場合、温度Ｔには依存しない予め設定された温度Ｑを温水の加熱目標温度として運転を開始し、制御手段から最後に運転停止信号が出力されてから運転開始信号が出力されるまでの時間が予め設定された時間Ｐ未満の場合、温度Ｑを温水の加熱目標温度にはせずに、温度Ｔに予め設定された温度αを加算した温度を、温水の加熱目標温度として運転を開始するので、加熱手段は、暖房パネル側で予め設定された温度を検知することなく、温水の加熱目標温度を決定し、加熱目標温度が常に固定値である場合に比べて温水の温度が上限温度を大きく上回るのを回避でき、効率的な温水の加熱制御を行うことができる。
また、加熱目標温度を決める際に、加熱手段の運転が所定時間以上停止しているか否かにより、最後に運転停止信号が出力されたときの温水の温度を考慮するか否かを決定するため、常に最後に運転停止信号が出力されたときの温水の温度を考慮して加熱目標温度を決定する場合に比べて、きめ細かな温水の温度調整を行うことが可能である。
【００１１】
本発明に係る温水暖房装置において、加熱手段が、制御手段から最後に運転開始信号が出力されてから運転停止信号が出力されるまでの時間が予め設定された時間Ｐ２を超えているとき、最後に運転開始信号が出力されてから時間Ｐ２経過した際に、予め設定された温度βを温水の加熱目標温度に加算して新たな加熱目標温度とし、制御手段から運転停止信号の出力があるまでは、予め設定した時間Ｐ３が経過するごとに最新の加熱目標温度に温度βを加算して新たな加熱目標温度にする場合、加熱手段は、所定の時間以上運転を継続しても温水の温度が上限温度を上回らないときに段階的に加熱目標温度を上げて、暖房パネルから早期に適切な熱量が放熱されるようにすることができる。
【００１２】
本発明に係る温水暖房装置において、制御手段から加熱手段に出力される運転開始信号及び運転停止信号が接点信号の場合、制御手段に接続される加熱手段は、制御手段からの信号を受ける回路が複雑になるのを回避することができる。
また、本発明に係る温水暖房装置において、加熱手段が圧縮機の運転周波数を調整可能なヒートポンプユニットである場合、圧縮機の運転周波数の調整によって、温水の昇温速度を確実に調節することができ、更に、運転効率を向上することができる。
【図面の簡単な説明】
【００１３】
【図１】本発明の一実施の形態に係る温水暖房装置の構成図である。
【図２】（Ａ）、（Ｂ）はそれぞれ、従来の温水暖房装置及び本発明の一実施の形態に係る温水暖房装置についての温水の温度とヒートポンプユニットの消費電力の変化を示す説明図である。
【図３】本発明の一実施の形態に係る温水暖房装置のヒートポンプの動作を示すフローチャートである。
【発明を実施するための形態】
【００１４】
続いて、添付した図面を参照しつつ、本発明を具体化した実施の形態につき説明し、本発明の理解に供する。
図１に示すように、本発明の一実施の形態に係る温水暖房装置１０は、ヒートポンプユニット（加熱手段の一例）１１、暖房パネル１２及び第１の温度センサ１３を接続し、温水が循環する温水循環回路１４と、第１の温度センサ１３を介して計測する暖房パネル１２を通過した温水の温度Ｘが、予め設定された上限温度を上回ったのを検知したとき、ヒートポンプユニット１１に運転停止信号を出力し、温度Ｘが予め設定された下限温度を下回ったのを検知したときヒートポンプユニット１１に運転開始信号を出力する制御手段１５とを有している。以下、詳しく説明する。
【００１５】
図１に示すように、ヒートポンプユニット１１は、熱媒（例えばフロン４１０Ａ）が循環する熱媒循環回路１６を有し、熱媒循環回路１６には、熱媒循環回路１６を循環する熱媒を熱源にして温水循環回路１４を循環している温水の加熱を行う熱交換器１７が設けられている。
また、熱媒循環回路１６には、熱交換器１７の他に減圧手段の一例であるキャピラリチューブ１８、外気の熱を回収する熱交換器１９及び圧縮機２０が設けられている。
【００１６】
熱媒循環回路１６を循環する熱媒は、熱交換器１７で温水循環回路１４を循環している温水に熱を与えて凝縮し、キャピラリチューブ１８を通過して膨張した後に、熱交換器１９に送られ、熱交換器１９を通過しながら熱交換によって外気の熱を吸収する。熱交換器１９を通過した熱媒は、圧縮機２０に送られ、圧縮機２０で高圧状態にされた後に熱交換器１７に供給される。
圧縮機２０は、インバータを内蔵しており、このインバータの出力値の大きさを変えることよって運転周波数（以下、単位「周波数」ともいう）の調整をすることができ、圧縮機２０の運転周波数を大きくすることで、熱交換器１７に、より高温の熱媒が供給されるようになる。
【００１７】
ヒートポンプユニット１１には、圧縮機２０に内蔵されているインバータの出力値、ひいては圧縮機２０の周波数を制御するＨＰ制御手段２２が信号接続されている。また、ＨＰ制御手段２２には、熱交換器１９に近接配置され、熱交換器１９での熱交換を促進するファン２３が信号接続されている。
なお、ＨＰ制御手段２２は、例えばマイクロコンピュータ等からなり圧縮機２０やファン２３等に対して適宜、所定の信号を送信するためのプログラムを搭載している。
【００１８】
ヒートポンプユニット１１には、温水を温水循環回路１４に循環させる循環ポンプ２４と、温水循環回路１４を循環する温水の、熱交換器１７で加熱される前の温度を計測する第２の温度センサ２５が設けられている。
循環ポンプ２４は、制御手段１５から出力される信号に従って、運転を開始、あるいは停止する。第２の温度センサ２５は、温水循環回路１４を循環する温水の流れを基準にして熱交換器１７の上流側に配置され、制御手段１５は、第２の温度センサ２５を介して、熱交換器１７に流入する前、即ち熱交換器１７で加熱前の温水の温度を計測することができる。
【００１９】
また、温水循環回路１４には、温水の流れに沿って熱交換器１７の上流側及び下流側にそれぞれ接続バルブ２６、２７が設けられている。ヒートポンプユニット１１に配置されているＵ字状回路と、ヒートポンプユニット１１の外側に配置されているＵ字状回路は、この接続バルブ２６、２７を介して連結されて、環状の温水循環回路１４を形成している。
温水循環回路１４には、ヒートポンプユニット１１から距離を有する位置に暖房パネル１２及び第１の温度センサ１３が配置されている。
暖房パネル１２は、床下や室内に設置され、温水循環回路１４を循環する温水の熱を放熱して、室内等を暖める。
第１の温度センサ１３は、暖房パネル１２の下流側に配置され、暖房パネル１２を通過して温度が低下した後の温水の温度を計測する。第１の温度センサ１３には、制御手段１５が信号接続されており、制御手段１５は暖房パネル１２を通過して放熱された後の温水の温度を第１の温度センサ１３を介して計測する。
【００２０】
制御手段１５には、温水暖房装置１０の利用者が、暖房パネル１２の暖房温度等を設定する操作盤２８が信号接続されている。制御手段１５は、操作盤２８で設定された暖房温度の値を基に、第１の温度センサ１３で計測する温水の温度について、ヒートポンプユニット１１に運転を停止させる上限温度Ｔｈ（本実施の形態では３０〜４０℃）とヒートポンプユニット１１に運転を開始させる下限温度Ｔｕ（本実施の形態では２５〜３５℃）を決定する。なお、ＴｈとＴｕには、Ｔｈ＞Ｔｕの関係が成立する。
【００２１】
そして、制御手段１５は第１の温度センサ１３で計測する温水の温度Ｘが温度Ｔｈを上回ったとき（Ｘ＞Ｔｈ）、ＨＰ制御手段２２にヒートポンプユニット１１の運転を停止するための運転停止信号を出力する。ＨＰ制御手段２２は制御手段１５からヒートポンプユニット１１の運転停止信号が出力されたとき、圧縮機２０及びファン２３を停止して、ヒートポンプユニット１１の運転を停止する。
【００２２】
ヒートポンプユニット１１の運転を停止していることによって、温水循環回路１４を循環している温水の温度が低下し、第１の温度センサ１３で計測する温水の温度Ｘが温度Ｔｕを下回ったとき（Ｘ＜Ｔｕ）、制御手段１５は、ＨＰ制御手段２２に対してヒートポンプユニット１１の運転を開始するための運転開始信号を出力する。ＨＰ制御手段２２は、制御手段１５からヒートポンプユニット１１の運転開始信号が出力されたとき、圧縮機２０及びファン２３の作動を開始し、ヒートポンプユニット１１の運転を再開する。このヒートポンプユニット１１の運転制御により、温水循環回路１４を循環し暖房パネル１２に供給される湯水は、上限温度Ｔｈを大きく上回ること又は下限温度Ｔｕを大きく下回ることがないように温度調整される。
【００２３】
ここで、制御手段１５とＨＰ制御手段２２は電気的に接続されており、制御手段１５からＨＰ制御手段２２に出力されるヒートポンプユニット１１の運転開始信号及び運転停止信号は接点信号である。本実施の形態では、制御手段１５側の接点回路が開いた状態から閉じた状態になったとき制御手段１５から運転開始信号が出力されたことを意味し、制御手段１５側の接点回路が閉じた状態から開いた状態になったとき制御手段１５から運転停止信号が出力されたことを意味する。なお、制御手段１５は、例えばマイクロコンピュータ等からなり第１の温度センサ１３を介して計測した温度に合わせて接点回路の開閉制御等を行うためのプログラムを搭載している。
【００２４】
従来の温水暖房装置では、ヒートポンプユニットの運転が行われているとき、ＨＰ制御手段は予め定められた最大の周波数で圧縮機を運転していた。従って、ヒートポンプユニットが運転を行っている際のヒートポンプユニットが消費する電力は、図２（Ａ）に示すように、一定の値となる。
これに対し、温水暖房装置１０では、最後にヒートポンプユニット１１の運転を停止した際に第２の温度センサ２５で計測した湯水の温度により、圧縮機２０の周波数を決めるので、第２の温度センサ２５で計測した湯水の温度が高ければ圧縮機２０の周波数は大きくなり、第２の温度センサ２５で計測した湯水の温度が低ければ圧縮機２０の周波数は小さくなる。従って、ヒートポンプユニット１１が運転を行っている際のヒートポンプユニット１１の消費電力は、図２（Ｂ）に示すように異なる値になる。
【００２５】
次に、ヒートポンプユニット１１の動作について詳細に説明する。
なお、ＨＰ制御手段２２には、最後に制御手段１５から運転停止信号の出力があったときに、ＨＰ制御手段２２が第２の温度センサ２５を介して計測した湯水の温度Ｔが記憶されているとする。
操作盤２８で、暖房パネル１２による暖房を開始するための操作が行われると、制御手段１５は、循環ポンプ２４の運転開始と共に、図３に示すように、ＨＰ制御手段２２に対してヒートポンプユニット１１の運転開始信号（以下、単に「運転開始信号」という）を出力する（ステップＳ１）。
【００２６】
ＨＰ制御手段２２は、制御手段１５から運転開始信号の出力があった際、制御手段１５から最後にヒートポンプユニット１１の運転停止信号（以下、単に「運転停止信号」という）が出力されてから運転開始信号が出力されるまでの時間が、予め設定された時間Ｐ（本実施の形態では２０〜４０分で、例えば３０分）以上（即ち時間Ｐ又は時間Ｐを超えている）か時間Ｐ未満かを判定する（ステップＳ２）。
【００２７】
ステップＳ２で制御手段１５から最後に運転停止信号が出力されてから運転開始信号が出力されるまでの時間が、時間Ｐ以上の場合、ＨＰ制御手段２２は、記憶している温度Ｔには依存しない予め設定された温度Ｑ（本実施の形態では４５〜５５℃で例えば５０℃）を温水の加熱目標温度として定義する（ステップＳ３）。そして、ＨＰ制御手段２２は、ファン２３の運転を行うと共に、この定義した加熱目標温度Ｑに応じた周波数で圧縮機２０の運転を開始、即ちヒートポンプユニット１１の運転を開始する（ステップＳ４）。なお、本実施の形態ではＱはＴ＋αより高温である。
【００２８】
一方、ステップＳ２で制御手段１５から最後に運転停止信号が出力されてから運転開始信号が出力されるまでの時間が、時間Ｐ未満の場合、ＨＰ制御手段２２は、記憶している温度Ｔに予め設定した温度α（本実施の形態では３〜１０℃で、例えば５℃）を加算した温度Ｔ＋αを、熱交換器１７で加熱する温水の加熱目標温度として定義する（ステップＳ３’）。そして、ＨＰ制御手段２２は、ファン２３の運転を行うと共に、この定義した加熱目標温度Ｔ＋αに応じた周波数で圧縮機２０の運転を開始する（ステップＳ４）。
【００２９】
ここで、ステップＳ３’では、最後に制御手段１５から運転停止信号が出力されたとき、即ちヒートポンプユニット１１の運転を停止したときの温水の温度を基にして加熱目標温度を定義したのに対し、ステップＳ３では過去の温水の温度を考慮せずに加熱目標温度を定義している。これは、ヒートポンプユニット１１の停止時間の長短によって温水循環回路１４を循環する温水の温度低下量が異なることを考慮したものであり、温水の温度低下が大きい場合と小さい場合に同じ加熱目標温度で圧縮機２０の運転を行うと、温水の温度低下が大きいときに、温水が適温まで上昇するのに長い時間を要することになるためである。
【００３０】
ヒートポンプユニット１１の運転が開始された後、ＨＰ制御手段２２は、制御手段１５から最後に運転開始信号が出力されてから運転停止信号が出力されるまでの時間が、予め設定された時間Ｐ２（本実施の形態では５〜１５分で、例えば１０分）以下か時間Ｐ２を超えているかを判定する（ステップＳ５）。
そして、ＨＰ制御手段２２は、運転停止信号の出力があった際、制御手段１５から最後に運転開始信号が出力されてから運転停止信号が出力されるまでの時間が時間Ｐ２以下のとき、圧縮機２０及びファン２３の運転を停止、即ちヒートポンプユニット１１の運転を停止すると共に、第２の温度センサ２５を介して温水の温度Ｔｘを検知し、この温度Ｔｘを新たな温度Ｔとして記憶する（ステップＳ６）。
【００３１】
一方、運転停止信号の出力があった際、制御手段１５から最後に運転開始信号が出力されてから運転停止信号が出力されるまでの時間が時間Ｐ２を超えているとき、制御手段１５から最後に運転開始信号が出力されてから時間Ｐ２経過した際に、ＨＰ制御手段２２は、温水の加熱目標温度に予め設定された温度β（本実施の形態では１〜４℃で、例えば２℃）を加算して新たな加熱目標温度とし、圧縮機２０の運転周波数をこの新たな加熱目標温度に対応した周波数にして圧縮機２０の運転を継続する（ステップＳ７）。本実施の形態ではα＞βである。
ステップＳ７で圧縮機２０の運転周波数を変更した後、ＨＰ制御手段２２は、圧縮機２０の運転周波数を変更してから制御手段１５が運転停止信号を出力するまでの時間が、予め設定した時間Ｐ３（本実施の形態では３〜８分で、例えば５分）以下か時間Ｐ３を超えているかを判定する（ステップＳ８）。本実施の形態ではＰ２＞Ｐ３である。
【００３２】
そして、圧縮機２０の運転周波数を変更してから制御手段１５からの運転停止信号の出力がないまま時間Ｐ３が経過した場合には、ステップＳ７に戻って最新の湯水の加熱目標温度に温度βを加算して新たな湯水の加算目標温度とし、圧縮機２０の運転周波数を、この新たな湯水の加算目標温度に対応した周波数に変更する。
それ以降、制御手段１５から運転停止信号の出力があるまでステップＳ７、Ｓ８を繰り返し、時間Ｐ３が経過するごとに、最新の湯水の加熱目標温度に温度βを加算して新たな湯水の加算目標温度を定義して、その新たな湯水の加算目標温度に応じて圧縮機２０の運転周波数を変更する。
【００３３】
これは、操作盤２８で暖房の設定温度を上げる操作がなされること等を想定したものである。即ち、ヒートポンプユニット１１の運転を時間Ｐ２より長く、あるいはその後更に時間Ｐ３を超えて行っているにも関わらず、第１の温度センサ１３で計測される湯水の温度が、ヒートポンプユニット１１の運転を停止する温度まで上昇していない場合に、圧縮機２０の周波数を上げて湯水の温度上昇速度を上げるためである。
【００３４】
ステップＳ８で、制御手段１５から運転停止信号が出力された際、ＨＰ制御手段２２は、圧縮機２０及びファン２３の運転を停止すると共に、第２の温度センサ２５を介して温水の温度Ｔｘ’を検知し、この温度Ｔｘ’を新たな温度Ｔとして記憶する（ステップＳ６）。
ヒートポンプユニット１１が以上のような制御を行うことにより、図２（Ｂ）に示すように、従来の制御に比べて、ヒートポンプの合計消費電力量を抑制すると共に、湯水のオーバーシュートの幅を小さくすることができる。なお、図２（Ａ）、（Ｂ）では、それぞれオーバーシュート幅をＤ１、Ｄ２で示している。
【００３５】
以上、本発明の実施の形態を説明したが、本発明は、上記した形態に限定されるものでなく、要旨を逸脱しない条件の変更等は全て本発明の適用範囲である。
例えば、温水暖房装置に複数の暖房パネルを設けることができる。また、加熱手段は、ヒートポンプユニットに限定されず、石油等の可燃性燃料を用いるユニットであってもよい。
【符号の説明】
【００３６】
１０：温水暖房装置、１１：ヒートポンプユニット、１２：暖房パネル、１３：第１の温度センサ、１４：温水循環回路、１５：制御手段、１６：熱媒循環回路、１７：熱交換器、１８：キャピラリチューブ、１９：熱交換器、２０：圧縮機、２２：ＨＰ制御手段、２３：ファン、２４：循環ポンプ、２５：第２の温度センサ、２６、２７：接続バルブ、２８：操作盤
【図１】
2012047374.tif 000003
【図２】
2012047374.tif 000004
【図３】
2012047374.tif 000005